(57)【要約】【課題】太陽熱で加熱された熱媒が保有する熱量を吸収冷凍機の起動に利用する際に、起動時間を短縮して起動特性を改善することが出来る空調システムの提供。【解決手段】吸収冷凍機（２０）と、太陽熱集熱装置（８）と、第１の熱交換器（９）を介して吸収冷凍機（２０）の希溶液ライン（Ｌａ）と熱的に連通している太陽熱回路（３０）と、吸収冷凍機（２０）の再生器（２）の燃焼装置（２５）の燃焼排ガスを吸収冷凍機外部へ排出する排気ガスライン（吸収冷凍機排気ガスラインＬｋ）と、該排気ガスライン（Ｌｋ）内を流過する再生器（２）の燃焼装置（２５）の燃焼排ガスが保有する熱量を太陽熱回路（３０）内を循環する熱媒に投入する第２の熱交換器（排気ガス熱交換器３５）とを備えている。【選択図】図１
2010007908.tif 000002
【特許請求の範囲】
【請求項１】
吸収冷凍機（２０）と、太陽熱集熱装置（８）と、太陽熱集熱装置を介装しており且つ吸収冷凍機（２０）と熱的に連通している太陽熱回路（３０）と、吸収冷凍機（２０）の再生器（２）の燃焼装置（２５）の燃焼排ガスを吸収冷凍機外部へ排出する排気ガスライン（Ｌｋ）と、該排気ガスライン（Ｌｋ）内を流過する再生器（２）の燃焼装置（２５）の燃焼排ガスが保有する熱量を太陽熱回路（３０）内を循環する熱媒に投入する第２の熱交換器（３５）とを備え、太陽熱回路（３０）において第２の熱交換器（３５）は第１の熱交換器（９）よりも太陽熱集熱装置（８）側に介装されていることを特徴とする空調システム。
【請求項２】
太陽熱回路（３０）には、第２の熱交換器（３５）をバイパスする第１のバイパスライン（３２）と、熱媒の流れを第２の熱交換器（３５）側と第１のバイパスライン（３２）側の何れかに切り換える切換装置（Ｖ１）とを介装しており、該切換装置（Ｖ１）を切換制御する制御装置（１０）を備えている請求項１の空調システム。
【請求項３】
排気ガスライン（Ｌｋ）には、第２の熱交換器（３５）をバイパスする第２のバイパスライン（Ｌｋｂ）と、燃焼装置（２５）の燃焼排ガスの流れを第２の熱交換器（３５）側と第２のバイパスライン（Ｌｋｂ）側の何れかに切り換える切換装置（Ｖ３）とを介装しており、該切換装置（Ｖ３）を切換制御する制御装置（１０）を備えている請求項１の空調システム。
【請求項４】
熱媒の温度（ＴＳ）を計測する第１の計測手段（Ｓｔ１）と、燃焼装置（２５）の燃焼排ガスの温度（ＴＥ）を計測する第２の計測手段（Ｓｔ２）とを備え、前記制御装置（１０）は、前記切換装置（Ｖ１、Ｖ３）を切換制御して、熱媒の温度（ＴＳ）が燃焼排ガスの温度（ＴＥ）よりも高い場合には熱媒及び／又は燃焼排ガスが第２の熱交換器（３５）をバイパスし、熱媒の温度（ＴＳ）が燃焼排ガスの温度（ＴＥ）以下の場合には熱媒及び／又は燃焼排ガスが第２の熱交換器（３５）を流れる様にせしめる機能を有している請求項２、請求項３の何れかの空調システム。
【請求項５】
吸収冷凍機（２０）の再生器（２）の燃焼装置（２５）に燃料を供給する燃料供給配管（Ｌｎ）には開閉弁（Ｖｎ）が介装されており、前記制御装置（１０）は、前記切換装置（Ｖ１、Ｖ３）を切換制御して、開閉弁（Ｖｎ）が閉鎖されている場合には熱媒及び／又は燃焼排ガスが第２の熱交換器（３５）をバイパスし、開閉弁（Ｖｎ）が開いている場合には熱媒及び／又は燃焼排ガスが第２の熱交換器（３５）を流れる様にせしめる機能を有している請求項２〜請求項４の何れか１項の空調システム。
【請求項６】
熱媒の温度（ＴＳ）を計測する第１の計測手段（Ｓｔ１）を備え、前記制御装置（１０）は、前記切換装置（Ｖ１、Ｖ３）を切換制御して、熱媒の温度（ＴＳ）が所定温度以上の場合には熱媒及び／又は燃焼排ガスが第２の熱交換器（３５）をバイパスし、熱媒の温度（ＴＳ）が所定温度よりも低い場合には熱媒及び／又は燃焼排ガスが第２の熱交換器（３５）を流れる様にせしめる機能を有している請求項２〜請求項５の何れか１項の空調システム。
【請求項７】
吸収冷凍機（２０）の再生器（２）の燃焼装置（２５）に供給される燃料と空気との比率を調節する空燃比調節機構（１５或いは１７）を備え、前記制御装置（１０）は、熱媒及び／又は燃焼排ガスが第２の熱交換器（３５）をバイパスしたか否かにより空燃比調節機構（１５或いは１７）を制御する機能を有している請求項２〜請求項６の何れか１項の空調システム。
【発明の詳細な説明】
【技術分野】
【０００１】
本発明は、吸収冷凍機による冷房運転に太陽熱を利用した空調システムに関し、より詳細には、係る空調システムにおいて、起動時における運転特性を改善する技術に関する。
【背景技術】
【０００２】
熱源により冷熱を得る技術として、吸収冷凍機が広く普及している（例えば特許文献１参照）。
そして、吸収冷凍機と太陽熱集熱装置（太陽熱集熱パネル）とを組み合わせ、太陽熱で得られる比較的低温（３０℃〜１２０℃）の熱を利用する技術が提案されている（例えば特許文献２参照）。この場合、太陽熱集熱パネルで回収される太陽熱は、二重効用吸収冷凍機における低温再生器或いは当該低温再生器と同レベル圧力となる排熱専用再生器程度の作用効果を奏する。また、熱媒が保有する熱量を吸収冷凍機側で消費することにより、熱媒が（吸収冷凍機により）冷却される。
吸収冷凍機と太陽熱集熱パネルとを組み合わせた技術においては、太陽熱集熱パネルを介装し且つ吸収冷凍機の希溶液ラインと熱的に連通する太陽熱回路を構成し、太陽熱回路を循環する熱媒を太陽熱集熱パネルで加熱し、加熱された熱媒の保有する熱量を吸収冷凍機の希溶液ラインを流れる吸収溶液に投入している。
【０００３】
ここで、吸収冷凍機を熱媒で加熱する場合に、起動時に熱媒の加熱に一定の熱量が必要であり、熱媒を加熱するための熱量は吸収冷凍機における冷凍能力の発揮には全く寄与しない。そして、太陽熱集熱パネルにおける熱容量も相当に大きいため、太陽熱回路を循環する熱媒を吸収冷凍機の起動に必要な程度まで加熱するためには、長時間を必要としてしまう。
その際に、太陽熱集熱装置により回収される熱量は一定せず、当該回収される熱量は冷房負荷とは全く連動しておらず、もちろん、吸収冷凍機が起動するか否かと太陽熱集熱装置により回収される熱量とは全くの無関係である。そのため、太陽熱回路を循環する熱媒を太陽熱集熱パネルで加熱し、加熱された熱媒の保有する熱量を吸収冷凍機の希溶液ラインを流れる吸収溶液に投入して吸収冷凍機を起動する場合には、起動に長時間必要となり、起動特性が劣悪となってしまう可能性がある。
しかも、起動に必要とされる熱量は、空調システムにおける冷房運転に全く寄与しないという問題が存在する。
【特許文献１】特開平７−２１８０１７号公報
【発明の開示】
【発明が解決しようとする課題】
【０００４】
本発明は上述した従来技術の問題点に鑑みて提案されたものであり、吸収冷凍機による冷房運転に太陽熱を利用した空調システムであって、太陽熱で加熱された熱媒が保有する熱量を吸収冷凍機の起動に利用する際に、起動時間を短縮して起動特性を改善することが出来る空調システムの提供を目的としている。
【課題を解決するための手段】
【０００５】
本発明の空調システムは、吸収冷凍機（２０）と、太陽熱集熱装置（太陽熱集熱用パネル８）と、太陽熱集熱装置を介装しており且つ吸収冷凍機（２０）と熱的に連通している太陽熱回路（３０）と、吸収冷凍機（２０）の再生器（２）の燃焼装置（バーナ２５）の燃焼排ガスを吸収冷凍機外部へ排出する排気ガスライン（吸収冷凍機排気ガスラインＬｋ）と、該排気ガスライン（Ｌｋ）内を流過する再生器（２）の燃焼装置（２５）の燃焼排ガスが保有する熱量を太陽熱回路（３０）内を循環する熱媒に投入する第２の熱交換器（排気ガス熱交換器３５）とを備え、太陽熱回路（３０）において第２の熱交換器（排気ガス熱交換器３５）は第１の熱交換器（太陽熱熱交換器９）よりも太陽熱集熱装置（太陽熱集熱用パネル８）側（或いは上流側）に介装されていることを特徴としている（請求項１）。
ここで、太陽熱回路（３０）が吸収冷凍機（２０）と熱的に連通する態様としては、例えば、太陽熱回路（３０）を流れる熱媒体が保有する熱量が、熱交換器（太陽熱投入熱交換器９）を介して、吸収冷凍機（２０）の希溶液ライン（Ｌａ）を流れる吸収溶液（希溶液）に投入されるように構成することが出来る。或いは、希溶液ライン（Ｌａ）に再生器（太陽熱再生器ＷＥ９）を介装し、太陽熱回路（３０）を流れる熱媒体が保有する熱量により冷媒蒸気（気相冷媒）を再生しても良い。さらに、熱交換器（太陽熱投入熱交換器９）と再生器（太陽熱再生器ＷＥ９）を、吸収冷凍機（２０）の希溶液ライン（Ｌａ）に介装しても良い。
【０００６】
本発明において、太陽熱回路（３０）には、第２の熱交換器（排気ガス熱交換器３５）をバイパスする第１のバイパスライン（熱媒バイパスライン３２）と、熱媒の流れを第２の熱交換器（排気ガス熱交換器３５）側と第１のバイパスライン（熱媒バイパスライン３２）側の何れかに切り換える切換装置（例えば三方弁Ｖ１）とを介装しており、該切換装置（例えば三方弁Ｖ１）を切換制御する制御装置（コントロールユニット１０）を備えているのが好ましい（請求項２）。
【０００７】
本発明において、排気ガスライン（吸収冷凍機排気ガスラインＬｋ）には、第２の熱交換器（排気ガス熱交換器３５）をバイパスする第２のバイパスライン（排ガスバイパスラインＬｋｂ）と、燃焼装置（バーナ２５）の燃焼排ガスの流れを第２の熱交換器（排気ガス熱交換器３５）側と第２のバイパスライン（排ガスバイパスラインＬｋｂ）側の何れかに切り換える切換装置（例えば三方弁Ｖ３）とを介装しており、該切換装置（例えば三方弁Ｖ３）を切換制御する制御装置（コントロールユニット１０）を備えているのが好ましい（請求項３）。
【０００８】
ここで（請求項２、請求項３の何れかの空調システムにおいて）、熱媒の温度（ＴＳ）を計測する第１の計測手段（熱媒温度センサＳｔ１）と、燃焼装置（バーナ２５）の燃焼排ガスの温度（ＴＥ）を計測する第２の計測手段（排気ガス温度センサＳｔ２）とを備え、前記制御装置（１０）は、前記切換装置（三方弁Ｖ１、Ｖ３）を切換制御して、熱媒の温度（ＴＳ）が燃焼排ガスの温度（ＴＥ）よりも高い（ＴＳ＞ＴＥ）場合には熱媒及び／又は燃焼排ガスが第２の熱交換器（排気ガス熱交換器３５）をバイパスし、熱媒の温度（ＴＳ）が燃焼排ガスの温度（ＴＥ）以下（ＴＳ≦ＴＥ）の場合には熱媒及び／又は燃焼排ガスを第２の熱交換器（排気ガス熱交換器３５）を流れる様にせしめる機能を有しているのが好ましい（請求項４）。
【０００９】
また（請求項２〜請求項４の何れか１項の空調システムにおいて）、吸収冷凍機（２０）の再生器（例えば高温再生器２）の燃焼装置（２５）に燃料（灯油その他のいわゆる「高質燃料」）を供給する燃料供給配管（燃料供給ラインＬｆｇ）には開閉弁（Ｖｎ）が介装されており、前記制御装置（１０）は、前記切換装置（三方弁Ｖ１、Ｖ３）を切換制御して、開閉弁（Ｖｎ）が閉鎖されている（Ｖｎ開度＝０）場合には熱媒及び／又は燃焼排ガスが第２の熱交換器（排気ガス熱交換器３５）をバイパスし、開閉弁（Ｖｆ）が開いている（Ｖｆ開度≠０）場合には熱媒及び／又は燃焼排ガスが第２の熱交換器（排気ガス熱交換器３５）を流れる様にせしめる機能を有しているのが好ましい（請求項５）。
【００１０】
さらに（請求項２〜請求項５の何れか１項の空調システムにおいて）、熱媒の温度（ＴＳ）を計測する第１の計測手段（熱媒温度センサＳｔ１）を備え、前記制御装置（１０）は、前記切換装置（三方弁Ｖ１、Ｖ３）を切換制御して、熱媒の温度（ＴＳ）が所定温度（しきい値）以上（ＴＳ≧しきい値）の場合には熱媒及び／又は燃焼排ガスが第２の熱交換器（排気ガス熱交換器３５）をバイパスし、熱媒の温度（ＴＳ）が所定温度（しきい値）よりも低い（ＴＳ＜しきい値）場合には熱媒及び／又は燃焼排ガスが第２の熱交換器（排気ガス熱交換器３５）を流れる様にせしめる機能を有しているのが好ましい（請求項６）。
【００１１】
これに加えて（請求項２〜請求項６の何れか１項の空調システムにおいて）、吸収冷凍機（２０）の再生器（例えば高温再生器２）の燃焼装置（２５）に供給される燃料（灯油その他のいわゆる「高質燃料」）と空気との比率を調節する空燃比調節機構（ブロワ１５或いはダンパ１７）を備え、前記制御装置（１０）は、熱媒及び／又は燃焼排ガスが第２の熱交換器（排気ガス熱交換器３５）をバイパスしたか否かにより空燃比調節機構（１５或いは１７）を制御する機能を有しているのが好ましい（請求項７）。
【００１２】
この場合（請求項７の空調システムにおいて）、前記空燃比調節機構は吸収冷凍機（２０）の再生器（例えば高温再生器２）の燃焼装置（２５）に燃焼用空気を供給する空気供給配管（空気供給ラインＬｎａ）に介装したブロワ（１５）で構成されており、前記制御装置（１０）は、熱媒及び／又は燃焼排ガスが第２の熱交換器（排気ガス熱交換器３５）を流れる場合にはブロワ（１５）の回転数を上昇させる機能を有するのが好ましい。
或いは（請求項７の空調システムにおいて）、前記空燃比調節機構は吸収冷凍機（２０）の再生器（例えば高温再生器２）の燃焼装置（２５）に燃焼用空気を供給する空気供給配管（空気供給ラインＬｎａ）における流路断面積を調節する機構（１７：例えば、ダンパ、絞り等）で構成されており、前記制御装置（１０）は、熱媒及び／又は燃焼排ガスが第２の熱交換器（排気ガス熱交換器３５）を流れる場合には空気供給配管（空気供給ラインＬｎａ）における流路断面積を大きくする（ダンパ１７の開度を大きくする）機能を有するのが好ましい。
【００１３】
本発明の実施に際して、吸収冷凍機（２０）は、単効用タイプでも、二重効用タイプでも、一重二重効用タイプでも、三重効用以上の多重効用タイプであっても良い。
【００１４】
上述した第１の計測手段（熱媒温度センサＳｔ１）により熱媒の温度（ＴＳ）を計測し、且つ、第２の計測手段（排気ガス温度センサＳｔ２）により燃焼装置（バーナ２５）の燃焼排ガスの温度（ＴＥ）を計測する工程（Ｓ１）と、熱媒の温度（ＴＳ）が燃焼排ガスの温度（ＴＥ）よりも高い（ＴＳ＞ＴＥ）場合に前記切換装置（三方弁Ｖ１、Ｖ３）を制御して熱媒及び／又は燃焼排ガスを第２の熱交換器（排気ガス熱交換器３５）をバイパスさせる工程（Ｓ３）と、熱媒の温度（ＴＳ）が燃焼排ガスの温度（ＴＥ）以下（ＴＳ≦ＴＥ）の場合に前記切換装置（三方弁Ｖ１、Ｖ３）を制御して熱媒及び／又は燃焼排ガスが第２の熱交換器（排気ガス熱交換器３５）を流れる様にせしめる工程（Ｓ４）とを有するのが好ましい。
【００１５】
また本発明の空調システム（請求項５の空調システム）の制御方法は、吸収冷凍機（２０）の再生器（例えば高温再生器２）の燃焼装置（２５）に燃料（灯油その他のいわゆる「高質燃料」）を供給する燃料供給配管（燃料供給ラインＬｎ）に介装された開閉弁（Ｖｎ）の弁開度を計測する工程（Ｓ１１）と、開閉弁（Ｖｎ）が閉鎖されている（Ｖｎ開度＝０）の場合は前記切換装置（三方弁Ｖ１、Ｖ３）を制御して熱媒及び／又は燃焼排ガスを第２の熱交換器（排気ガス熱交換器３５）をバイパスさせる工程（Ｓ１３）と、開閉弁（Ｖｎ）が開いている（Ｖｎ開度≠０）場合は前記切換装置（三方弁Ｖ１、Ｖ３）を制御して熱媒及び／又は燃焼排ガスが第２の熱交換器（排気ガス熱交換器３５）を流れる様にせしめる工程（Ｓ１４）とを有しているのが好ましい。
【００１６】
さらに本発明の空調システム（請求項６の空調システム）の制御方法は、第１の計測手段（熱媒温度センサＳｔ１）により熱媒の温度（ＴＳ）を計測する工程（Ｓ２１）と、熱媒の温度（ＴＳ）が所定温度（しきい値）以上（ＴＳ≧しきい値）の場合は前記切換装置（三方弁Ｖ１、Ｖ３）を制御して熱媒及び／又は燃焼排ガスを第２の熱交換器（排気ガス熱交換器３５）をバイパスさせる工程（Ｓ２３）と、熱媒の温度（ＴＳ）が所定温度（しきい値）未満（ＴＳ＜しきい値）の場合は前記切換装置（三方弁Ｖ１、Ｖ３）を制御して熱媒及び／又は燃焼排ガスが第２の熱交換器（排気ガス熱交換器３５）を流れる様にせしめる工程（Ｓ２４）とを有しているのが好ましい。
【００１７】
これに加えて本発明の空調システム（請求項７の空調システム）の制御方法は、熱媒及び／又は燃焼排ガスが第２の熱交換器（排気ガス熱交換器３５）をバイパスしたか否かを判定する判定工程（Ｓ３２、Ｓ４２）と、吸収冷凍機（２０）の再生器（例えば高温再生器２）の燃焼装置（２５）に供給される燃料（灯油その他のいわゆる「高質燃料」）と空気との比率を調節する空燃比調節機構（１５、１７）を、判定工程（Ｓ３２、Ｓ４２）における判定結果に基づいて制御する工程（Ｓ３３及びＳ３４、Ｓ４３及びＳ４４）とを有しているのが好ましい。
【００１８】
この場合（請求項７の空調システムを制御する方法において）、前記空燃比調節機構は吸収冷凍機（２０）の再生器（例えば高温再生器２）の燃焼装置（２５）に燃焼用空気を供給する空気供給配管（空気供給ラインＬｎａ）に介装したブロワ（１５）で構成されており、空燃比調節機構（１５）を制御する工程（Ｓ３３、Ｓ３４）では、熱媒及び／又は燃焼排ガスが第２の熱交換器（排気ガス熱交換器３５）を流れる場合にブロワの回転数を上昇させる（Ｓ３３）のが好ましい。
或いは（請求項７の空調システムを制御する方法において）、前記空燃比調節機構は吸収冷凍機（２０）の再生器（例えば高温再生器２）の燃焼装置（２５）に燃焼用空気を供給する空気供給配管（空気供給ラインＬｎａ）における流路断面積を調節する機構（例えば、ダンパ１７、絞り等）で構成されており、空燃比調節機構（１７）を制御する工程（Ｓ４３、Ｓ４４）では、熱媒及び／又は燃焼排ガスが第２の熱交換器（排気ガス熱交換器３５）を流れる場合には空気供給配管（空気供給ラインＬｎａ）における流路断面積を大きくする（ダンパ開度を大きくする：Ｓ４３）のが好ましい。
【発明の効果】
【００１９】
上述する構成を具備する本発明によれば、第２の熱交換器（排気ガス熱交換器３５）により、再生器（２）の燃焼装置（バーナ２５）の燃焼排ガスが保有する熱量を太陽熱回路（３０）内を循環する熱媒に投入する様に構成されているので、空調システムの起動に際して、太陽熱回路（３０）を循環する熱媒温度が降温していても、第２の熱交換器（排気ガス熱交換器３５）により燃焼装置（バーナ２５）の燃焼排ガスが保有する熱量が太陽熱回路（３０）の熱媒に投入されるので、熱媒温度が早期に昇温し、空調システムも起動時間が早くなる。
【００２０】
ここで、特に昼間に運転され、夜間は停止している吸収冷凍機（２０）においては、起動時には熱媒温度が外気温程度まで降温していることが予想されるので、起動時における燃焼装置（バーナ２５）の燃焼排ガス温度（ＴＥ）と熱媒温度（ＴＳ）の温度差が大きい。そのため、第２の熱交換器（排気ガス熱交換器３５）が小さくても、十分に熱交換を行なうことが出来る。
また、太陽熱回路（３０）に介装されている太陽熱集熱装置（太陽熱集熱用パネル８）の熱容量が大きく、起動時に大量の熱量を必要とするので、第２の熱交換器（排気ガス熱交換器３５）を介して排気ガスライン（吸収冷凍機排気ガスラインＬｋ）を流れる燃焼装置（バーナ２５）の燃焼排ガスの熱量は、熱媒に対して大量に投入されることになる。
その結果、燃焼装置（バーナ２５）で消費された高質燃料は、吸収冷凍機（２０）内を循環する気相冷媒（例えば、水蒸気）の再生に加えて、太陽熱回路（３０）を循環する熱媒の昇温にも用いられ、当該高質燃料の利用効率が向上する。
【００２１】
さらに、太陽熱回路（３０）において第２の熱交換器（排気ガス熱交換器３５）は第１の熱交換器（太陽熱熱交換器９）よりも太陽熱集熱装置（太陽熱集熱用パネル８）側（或いは上流側）に介装されているので、第２の熱交換器（排気ガス熱交換器３５）により昇温された熱媒の保有する熱量が、第１の熱交換器（太陽熱熱交換器９）を介して吸収冷凍機（２０）の希溶液ライン（Ｌａ）に投入されることになる。
すなわち、燃焼装置（バーナ２５）の燃焼排ガスの熱量によって、吸収冷凍機（２０）を循環する吸収溶液の温度が昇温して、吸収冷凍機（２０）の起動時間がその分だけ短縮される。
これにより、再生器（高温再生器２）で消費された高質燃料はさらに有効利用される。
【００２２】
換言すれば、本発明によれば、従来は廃棄されていた燃焼装置（バーナ２５）の燃焼排ガスが保有する熱エネルギを有効利用することにより、太陽熱集熱装置（８）及び空調システムにおける起動特性を改良することが出来ると共に、省エネルギに寄与することが出来る。
【００２３】
本発明において、太陽熱回路（３０）を流れる熱媒または燃焼装置（バーナ２５）の燃焼排ガスが第２の熱交換器（排気ガス熱交換器３５）をバイパス出来る様に構成すれば（請求項２、請求項３）、燃焼装置（バーナ３５）の燃焼排ガスの保有する熱量を太陽熱回路（３０）を流れる熱媒に投入することが出来ない場合には、熱媒及び／又は燃焼排ガスを第２の熱交換器（排気ガス熱交換器３５）をバイパスさせることにより、熱媒が保有する熱量が燃焼排ガスに逆流してしまうような事態を防止することが出来る。
【００２４】
ここで、燃焼装置（バーナ２５）の燃焼排ガスが第２の熱交換器（排気ガス熱交換器３５）で熱媒と熱交換した場合には、第２の熱交換器（排気ガス熱交換器３５）における圧力損失と、排気ドラフトの温度低下によるドラフト低下とに起因して、第２の熱交換器（３５）をバイパスした場合に比較して、排気ガスライン（吸収冷凍機排気ガスラインＬｋ）において排気ガスが流れ難くなる。
これに対して、本発明において、前記制御装置（１０）は、熱媒及び／又は燃焼排ガスが第２の熱交換器（排気ガス熱交換器３５）をバイパスしたか否かにより空燃比調節機構（１５、１７）を制御する機能を有する様に構成すれば（請求項７）、空燃比調節機構（１５、１７）により排気ガスを流れ易くして、排気ガス流量を確保して、空燃比を一定に保つことが出来る。
【発明を実施するための最良の形態】
【００２５】
以下、添付図面を参照して、本発明の実施形態について説明する。
最初に、図１、図２に基づいて、本発明の第１実施形態について説明する。
【００２６】
図１において、全体を符号１００で示す太陽熱を利用した空調システムは、吸収冷凍機２０と、太陽熱回路３０と、制御手段であるコントロールユニット１０とを有している。
ここで、図１、図３、図５、図７、図９、図１１において、各ラインに付した矢印は、当該ラインを流れる流体の流れ方向を示している。
【００２７】
吸収冷凍機２０は、吸収器１、高温再生器２、低温再生器３、凝縮器４、蒸発器５を備えている。吸収冷凍機２０における吸収溶液としては、例えば臭化リチウム（ＬｉＢｒ）水溶液が用いられる。そして冷媒としては、例えば水（Ｈ２Ｏ）が用いられる。
ただし、吸収溶液と冷媒の種類は、ＬｉＢｒ水溶液と水とに限定される訳ではない。
【００２８】
高温再生器２には、高温再生器２内の吸収溶液を加熱するための燃焼装置（以下、バーナと言う）２５が装備され、バーナ２５には燃料供給ラインＬｎが接続され、燃料供給ラインＬｎを介してバーナ２５に灯油等の高質燃料が供給される。燃料供給ラインｎには、開閉弁Ｖｎが介装され、バーナ２５に供給する高質燃料の供給、供給停止の制御が可能なように構成されている。燃料供給ラインＬｎにおけるバーナ２５と開閉弁Ｖｎとの間の領域には、燃焼用空気の供給ライン（空気供給ライン）Ｌｎａが接続されている。
【００２９】
吸収器１と高温再生器２とは、吸収溶液ポンプＰａを介装した希溶液ラインＬａで接続され、吸収溶液ポンプＰａによって希溶液が高温再生器２に圧送される。高温再生器２の底部と低温再生器３とは、吸収溶液の第１の戻りラインＬｂで接続され、高温再生器２で蒸気を再生して濃縮された吸収溶液が、第１の戻りラインＬｂによって低温再生器３に送られる。低温再生器３と吸収器１とは、吸収溶液の第２の戻りラインＬｃで接続され、低温再生器３で蒸気を再生してさらに濃縮された吸収溶液が、第２の戻りラインＬｃによって吸収器１に戻されるように構成されている。
図示の実施形態では、吸収冷凍機２０は、いわゆる「シリーズ・フロータイプ」として構成されているが、「パラレル・フロータイプ」、「リバース・フロータイプ」その他のタイプとして構成しても良い。
【００３０】
高温再生器２には、バーナ２５で燃料を燃焼させた際に発生する排気ガスを吸収冷凍機２０外に排出する吸収冷凍機排気ガスライン（排気ガスライン）Ｌｋが接続されている。
排気ガスラインＬｋは、複数の配管（ライン）及び三方弁を有して構成されている。排気ガスラインＬｋの詳細は後述する。
【００３１】
高温再生器２と凝縮器４とは、冷媒ラインＬｄで接続され、高温再生器２で再生された蒸気（気相冷媒）が冷媒ラインＬｄを流過する。ここで、冷媒ラインＬｄは低温再生器３の液相部３２経由して凝縮器４に連通しており、低温再生器３に貯留した吸収溶液に気相冷媒が保有する熱を投与している。
低温再生器３で熱を投与した後、冷媒ラインＬｄを流れる気相冷媒は液化され、凝縮器４に流入する。
【００３２】
低温再生器３と凝縮器４とは気相冷媒ラインＬｅで接続され、気相冷媒ラインＬｅには低温再生器３で再生した蒸気（気相冷媒）が流れて、凝縮器４に流入する。
凝縮器４と蒸発器５とは液相冷媒ラインＬｆで接続され、凝縮器４で凝縮した液相冷媒がラインＬｆを介して蒸発器５に流入する。
吸収器１及び凝縮器４には冷却水ラインＬｗが通っており、冷却水ラインＬｗは、図示しない冷却塔と吸収器１と凝縮器４とを流れ、冷却水ポンプＰｗを介装している。そして、冷却水ラインＬｗを流れる冷却水により、吸収器１内の吸収熱と凝縮器４内の凝縮熱とが除去される。
【００３３】
蒸発器５に貯留した液相冷媒は、液媒ポンプ（冷媒ポンプ）Ｐｇを介装した冷媒汲み上げラインＬｇによって、散布管５ｓから冷水ラインＬｉに散布される。蒸発器５において散布された冷媒が蒸発する際に、冷水ラインＬｉを流れる冷水から気化熱を奪い、以って、冷水ラインＬｉを流れる冷水を冷却する。
冷水ラインＬｉには図示しない冷水ポンプが介装されており、矢印方向に冷水を循環させて、図示しない冷房負荷に供給している。
【００３４】
蒸発器５と吸収器１とは、図示では気相冷媒ラインＬｊによって連通しており、気相冷媒を蒸発器５から吸収器１へ送り込んでいる。実機においては、蒸発器５と吸収器１とは、同一の密閉容器において図示しない仕切壁（堰）で区切られて構成されており、蒸発器５で発生した気相冷媒は仕切壁上方の開口部を経由して吸収器１内に流入するようになっている。
【００３５】
希溶液ラインＬａと第１の戻りラインＬｂには、高温溶液熱交換器６が介装され、希溶液ラインＬａと第２の戻りラインＬｃには、低温溶液熱交換器７が介装されている。
そして、希溶液ラインＬａの高温溶液熱交換器６と低温溶液熱交換器７の間の領域には、第１の熱交換器（太陽熱熱交換器）３５が介装されており、太陽熱熱交換器３５を介して、太陽熱回路３０を流れる熱媒が保有する熱量が、希溶液ラインＬａを流れる希溶液に投入される。
【００３６】
太陽熱回路３０は、熱媒ライン３１と、太陽熱集熱装置（太陽熱集熱パネル）８と、第１のバイパスライン（第１の熱媒バイパスライン）３２と、第３のバイパスライン（太陽熱熱交換器用バイパスライン）３３とを有している。
熱媒ライン３１には熱媒ポンプＰｈが介装され、熱媒ライン３１における熱媒ポンプＰｈの吸入側に第２の熱交換器（排気ガス熱交換器）３５が介装されている。
【００３７】
熱媒ライン３１において、排気ガス熱交換器３５の入口側（太陽熱集熱パネル８から熱媒が流入する側）に、三方弁Ｖ１が介装されている。
熱媒ライン３１は、三方弁Ｖ１において、排気ガス熱交換器３５を介装したラインと、排気ガス熱交換器３５をバイパスする第１の熱媒バイパスライン３２とに分岐している。そして、排気ガス熱交換器３５を介装したラインと、第１の熱媒バイパスライン３２排気ガス熱交換器３５とは、合流点Ｂ２で合流している。
【００３８】
熱媒ライン３１における合流点Ｂ２と熱媒ポンプＰｈとの間の領域には、三方弁Ｖ２が介装されている。そして、合流点Ｂ２三方弁Ｖ２との間の領域には、分岐点Ｂ３が形成されている。
分岐点Ｂ３において、熱媒ライン３１は、太陽熱熱交換器９に連通する太陽熱熱交換器用バイパスライン３３と、太陽熱熱交換器９をバイパスするラインとに分岐している。太陽熱熱交換器用バイパスライン３３と、太陽熱熱交換器９をバイパスするラインとは、三方弁Ｖ２の異なるポートに接続している。
【００３９】
太陽熱熱交換器用バイパスライン３３には、太陽熱熱交換器９が介装されている。
上述した様に、太陽熱熱交換器９においては、太陽熱集熱パネル８で加熱されて太陽熱熱交換器用バイパスライン３３を流れる熱媒が保有する熱量が、吸収冷凍機２０の希溶液ラインＬａを流れる吸収溶液に投与される。
【００４０】
吸収冷凍息２０の高温再生器２の排気ガスライン（吸収冷凍機排気ガスライン）Ｌｋは、ラインＬｋ１とラインＬｋ２とを有している。高温再生器２に連通するラインＬｋ１は、三方弁Ｖ３を介してラインＬｋ２と連通している。
ラインＬｋ２には排気ガス熱交換器３５が介装され、排気ガス熱交換器３５において、ラインＬｋ２を流れる排気ガス（高温再生器２のバーナ２５の排気ガス）が保有する熱量（バーナ２５の排熱）が、太陽熱回路３０のライン３１を流れる熱媒に投与される。
【００４１】
ラインＬｋ２における排気ガス熱交換器３５の排出側に合流点Ｂ１が形成されている。高温再生器２に連通する吸収冷凍機排気ガスラインＬｋ１と三方弁Ｖ３を介して連通している排ガスバイパスラインＬｋｂは、合流点Ｂ１において、排気ガス熱交換器３５を介装したラインＬｋ２と合流している。
三方弁Ｖ３を切換制御することにより、高温再生器２のバーナ２５で高質燃料を燃焼させて発生した排ガスを、ラインＬｋ１から排気ガス熱交換器３５に流すことも出来るし、或いは、ラインＬｋ１から第２のバイパスライン（排ガスバイパスライン）Ｌｋｂへ流すことも出来る。
【００４２】
一方、太陽熱回路３０側に介装された三方弁Ｖ１を切換制御することにより、熱媒ライン３１を流れる熱媒を排ガス熱交換器３５へ流し、或いは、熱媒バイパスライン３２に流して排ガス熱交換器３５をバイパスせしめることが出来る。
さらに、太陽熱回路３０側に介装された三方弁Ｖ２を切換制御することにより、熱媒ライン３１を流れる熱媒を太陽熱熱交換器９に流し、或いは、太陽熱熱交換器９をバイパスさせることが出来る。すなわち、熱媒の温度が吸収冷凍機２０側の希溶液ラインＬａを流れる希溶液を加熱可能な程度まで昇温していれば、三方弁Ｖ２を太陽熱熱交換器９に切り換えて、熱媒ライン３１を流れる熱媒を太陽熱熱交換器９に流す。一方、希溶液ラインＬａを流れる希溶液を加熱可能な程度まで熱媒の温度が昇温していなければ、吸収冷凍機２０側から太陽熱回路３０側に熱が逆流してしまうのを防止するため、三方弁Ｖ２を太陽熱熱交換器９をバイパスする側へ切り換える。
【００４３】
熱媒ライン３１における太陽熱集熱パネル８の出口側には、熱媒の太陽熱集熱パネル８出口温度を計測する第１の計測手段（熱媒温度センサ）Ｓｔ１が介装されている。
また、排気ガスラインＬｋ２における排気ガス熱交換器３５の入口側には、高温再生器２のバーナ２５の排気ガスにおける排気ガス熱交換器３５入口温度を計測する第２の計測手段（排気ガス温度センサ）Ｓｔ２が介装されている。
【００４４】
熱媒温度センサＳｔ１及び排気ガス温度センサＳｔ２は、入力信号ラインＳｉによってコントロールユニット１０と接続されている。また、三方弁Ｖ１、Ｖ３は、制御信号ラインＳｏによってコントロールユニット１０と接続されている。
【００４５】
図２を参照して、第１実施形態における制御を説明する。
図２のステップＳ１において、熱媒温度センサＳｔ１により、太陽熱集熱パネル８の出口側における熱媒温度ＴＳを計測し、排気ガス温度センサＳｔ２により、排気ガス熱交換器３５の入口側における排気ガス温度ＴＥを計測する。
【００４６】
次のステップＳ２では、太陽熱集熱パネル８の出口側における熱媒温度ＴＳと、排気ガス熱交換器３５の入口側における排気ガス温度ＴＥとを比較し、温度ＴＳが温度ＴＥよりも高温であるか否か（ＴＳ＞ＴＥであるか否か）を判断する。
例えば、日射量が多く、太陽熱集熱パネル８により熱媒が十分に加熱され、温度ＴＳが温度ＴＥよりも高温であれば（ＴＳ＞ＴＥ）であれば（ステップＳ２がＹＥＳ）、ステップＳ３に進む。
一方、例えば午前中の早い時間で、未だ日射量が多くはなく、太陽熱集熱パネル８により熱媒が十分に温まっておらず、温度ＴＳが温度ＴＥ以下（ＴＳ≦ＴＥ）であれば（ステップＳ２がＮＯ）、ステップＳ４に進む。
【００４７】
ステップＳ３（ＴＳ＞ＴＥ：ステップＳ２がＹＥＳ）では、コントロールユニット１０は、高温再生器２のバーナ２５の排気ガスで太陽熱回路３０を流れる熱媒を昇温する必要はなく、（場合によっては）熱媒が保有する熱量が排気ガスに逆流する恐れがあると判断する。そして、三方弁Ｖ１を切換制御して、熱媒ライン３１を流れる熱媒が、排気ガス熱交換器３５をバイパスさせるように操作する。それに加えて／或いは、三方弁Ｖ３を切換制御して、高温再生器２のバーナ２５の排気ガスを排ガスバイパスラインＬｈｂに流し、排気ガス熱交換器３５をバイパスさせる。
ステップＳ３により、排気ガス熱交換器３５において、高温再生器２のバーナ２５の排気ガスと、太陽熱回路３０を流れる熱媒とが熱交換することは無い。
【００４８】
ステップＳ４では、高温再生器２のバーナ２５の排気ガスで太陽熱回路３０を流れる熱媒を昇温する必要があると判断する。そして、三方弁Ｖ１を切換制御して、熱媒ライン３１を流過する熱媒が、排気ガス熱交換器３５を通過するようにせしめると共に、三方弁Ｖ３を切換制御して、高温再生器２のバーナ２５の排気ガスが、排気ガス熱交換器３５を通過するようにせしめる。
ステップＳ４により、排気ガス熱交換器３５において、高温再生器２のバーナ２５の排気ガスが保有する熱量が、太陽熱回路３０を流れる熱媒に投入されて、当該熱媒を昇温する。
【００４９】
ステップＳ３、ステップＳ４を実行した後、ステップＳ１まで戻り、ステップＳ１以降を繰り返す。
【００５０】
図１、図２で説明した第１実施形態に係る空調システム１００によれば、排気ガス熱交換器３５により、高温再生器２のバーナ２５の燃焼排ガスが保有する熱量を、太陽熱回路３０内を循環する熱媒に投入することが出来るので、空調システム１００の起動に際して、太陽熱回路３０を循環する熱媒温度が降温していても、排気ガス熱交換器３５により高温再生器２のバーナ２５の燃焼排ガスが保有する熱量が太陽熱回路３０の熱媒に投入されるので、熱媒温度を早期に昇温することが出来て、空調システムの起動時間が短縮される。
【００５１】
特に、空調システムの起動時においては、熱媒温度が外気温程度まで降温していることが予想されるので、当該起動時においては、高温再生器２のバーナ２５における燃焼排ガス温度と、熱媒温度との温度差が大きい。そのため、排気ガス熱交換器３５が小さくても、バーナ２５の燃焼排ガスの熱量を、大量に且つ十分に、熱媒へ投入することが出来る。
その結果、バーナ２５で消費された高質燃料は、吸収冷凍機２０内を循環する気相冷媒（例えば、水蒸気）の再生に用いられることに加えて、太陽熱回路３０を循環する熱媒の昇温にも用いられるので、当該高質燃料の利用効率が向上する。
【００５２】
さらに、太陽熱回路３０において、排気ガス熱交換器３５は太陽熱熱交換器９よりも太陽熱集熱用パネル８側（上流側）に介装されているので、排気ガス熱交換器３５により昇温された熱媒の保有する熱量が、太陽熱熱交換器９を介して吸収冷凍機２０の希溶液ラインＬａに投入されることになる。
すなわち、バーナ２５の燃焼排ガスの熱量により、吸収冷凍機２０を循環する吸収溶液の温度が昇温して、吸収冷凍機２０の起動時間がその分だけ短縮されるので、高温再生器２で消費された高質燃料がさらに有効利用されることとなる。
【００５３】
換言すれば、図１及び図２の第１実施形態によれば、従来は廃棄されていた高温再生器２のバーナ２５の燃焼排ガスを有効利用することにより、太陽熱集熱用パネル８及び空調システム１００における起動特性を改良することが出来ると共に、省エネルギに寄与することが出来る。
【００５４】
次に、図３、図４を参照し、本発明の第２実施形態について説明する。
第２実施形態に係る空調システムは、図３において全体が符号１０２で示されている。そして、第２実施形態に係る空調システム１０２は、吸収冷凍機２０の高温再生器２におけるバーナ２５が作動していない場合には、太陽熱回路３０を循環する熱媒を、排気ガス熱交換器３５からバイパスさせるように構成している。
【００５５】
第２実施形態に係る空調システム１０２（図３）の構成は、第１実施形態に係る空調システム１００（図１）に比較して、以下の点で異なっている。
図３においては、図１の空調システム１００には設けられていた三方弁Ｖ３（吸収冷凍機排気ガスラインＬｋに介装された三方弁）、排ガスバイパスラインＬｋｂ、温度センサＳｔ１、Ｓｔ２が省略されている。そして、図４で詳説するが、制御に際しては、温度センサＳｔ１で計測された熱媒温度ＴＳと、温度センサＳｔ２で計測された排気ガス温度ＴＥとは、制御のパラメータとしては採用していない。
【００５６】
図４を参照して、第２実施形態における制御について説明する。
図４のステップＳ１１では、燃料供給ラインＬｎに介装されている開閉弁Ｖｎの開度をチェックする。そして、開閉弁Ｖｎが全閉（開度が０：ＯＦＦ）であるか否か、すなわち、バーナ２５への燃料供給が遮断されているか否かを判断する（ステップＳ１２）。
開閉弁Ｖｎが全閉であれば（ステップＳ１２がＹＥＳ）ステップＳ１３に進み、開閉弁Ｖｎが全閉でなければ（ステップＳ１２がＮＯ）ステップＳ１４に進む。
【００５７】
ステップＳ１３（開閉弁Ｖｎが全閉：ステップＳ１２がＹＥＳ）では、バーナ２５は作動していないので、バーナ２５の燃焼排ガスで太陽熱回路３０を流れる熱媒を昇温することは出来ないと判断して、太陽熱回路３０側の三方弁Ｖ１をバイパス３２側に切換制御する。
一方、ステップＳ１４（開閉弁Ｖｎが全閉ではない：ステップＳ１２がＮＯ）では、バーナ２５は作動しており、その燃焼排ガスで太陽熱回路３０を流れる熱媒を昇温不可能とは断定出来ないと判断する。そして、排気ガス熱交換器３５をバイパス側に、三方弁Ｖ１を直ちに切り換えることはせず、その直前の制御サイクルにおける三方弁Ｖ１の切換制御を維持する。
ステップＳ１３或いはステップＳ１４を実行した後、ステップＳ１１に戻る。
【００５８】
図３の第２実施形態では、バーナ２５の燃焼排ガスが排気ガス熱交換器３５をバイパスする構成を有してはいない。バーナ２５への燃料供給が遮断された場合には、バーナ２５の燃焼排ガスは発生しないので、排気ガス熱交換器３５をバイパスする必要がないことによる。この様な状態において、太陽熱回路３０を流れる熱媒が排気ガス熱交換器３５を流れたとしても、バーナ２５の燃焼排ガスが存在しないので、熱媒の熱がバーナ２５の燃焼排ガスに逆流してしまうことも無い。
【００５９】
図３、図４の第２実施形態におけるその他の構成及び作用効果は、図１、図２の第１実施形態と同様である。
【００６０】
次に、図５、図６を参照して、本発明の第３実施形態を説明する。
図５において、第３実施形態に係る空調システムは、全体を符号１０３で示されている。そして、図５の空調システム１０３は、熱媒温度ＴＳが所定値（しきい値）以上の場合、熱媒および／又は吸収冷凍機の排気ガスを排気ガス熱交換器３５に対してバイパスさせるように構成されている。
図５の空調システム１０３は、図１の空調システム１００に比較して、排気ガス温度センサＳｔ２が省略されている。
【００６１】
図６を参照して、第３実施形態における制御を説明する。
図６のステップＳ３１では、熱媒温度センサＳｔ１によって、太陽熱集熱パネル８の出口側における熱媒温度ＴＳを計測する。次のステップＳ２２では、計測された熱媒温度ＴＳがしきい値以上の高温であるか否かを判断する。
熱媒の温度ＴＳがしきい値以上の高温である場合は（ステップＳ２２がＹＥＳ）ステップＳ２３に進み、熱媒の温度ＴＳがしきい値よりも低温である場合は（ステップＳ２２がＮＯ）ステップＳ２４に進む。
【００６２】
ステップＳ２３（熱媒の温度ＴＳがしきい値以上の高温：ステップＳ２２がＹＥＳ）では、太陽熱回路３０を流れる熱媒は必要な程度まで昇温しており、高温再生器２のバーナ２５の燃焼排ガスで当該熱媒を加熱する必要はないと判断する。そして、三方弁Ｖ１を切換制御して、熱媒ライン３１を流過する熱媒を排気ガス熱交換器３５をバイパスさせる。それと共に／或いは、三方弁Ｖ３を切換制御して、バーナ２５の燃焼排ガスが排気ガス熱交換器３５をバイパスする様に、排ガスバイパスラインＬｋｂに流す。
【００６３】
一方、ステップＳ２４（熱媒の温度ＴＳがしきい値よりも低温：ステップＳ２２がＮＯ）では、太陽熱回路３０を流れる熱媒を昇温する必要があると判断して、三方弁Ｖ１を切換制御して、熱媒ライン３１を流過する熱媒が排気ガス熱交換器３５を流れる様にする。それと共に、三方弁Ｖ３を切換制御して、バーナ２５の燃焼排ガスが、排気ガス熱交換器３５を通過するようにせしめる。
【００６４】
ステップＳ２３、ステップＳ２４を実行した後は、ステップＳ２１まで戻り、ステップＳ２１以降を繰り返す。
なお、熱媒温度ＴＳのしきい値は、空調システム１０３の起動時に、熱媒が保有する熱量を吸収冷凍機２０側に投入可能となる様な温度が設定される。
【００６５】
図５、図６の第３実施形態におけるその他の構成及び作用効果は、図１〜図４の各実施形態と同様である。
【００６６】
次に、図７、図８を参照して、本発明の第４実施形態を説明する。
図７において、第４実施形態に係る空調システムは、全体を符号１０４で示している。空調システム１０４では、吸収冷凍機２０の高温再生器２におけるバーナ２５に連通する空気供給ラインＬｎａに、ブロワ（空燃比調節機構）１５を回想している。ブロワ１５は、バーナ２５に空気を供給し、以って、バーナ２５へ供給される燃料と空気との比率を調節している。そして、熱媒および／又は排気ガスが排気ガス熱交換器３５をバイパスしたか否かにより、ブロワ１５の回転数を制御している。
【００６７】
図７の空調システム１０４では、空気供給ラインＬｎａに空燃比調節機構であるブロワ１５を介装しており、制御信号ラインＳｏを介してブロワ１５とコントロールユニット１０とを接続している。そして図７の空調システム１０４では、温度センサＳｔ１、Ｓｔ２（図１）を省略している。
【００６８】
図８を参照して、第４実施形態における制御を説明する。
図８のステップＳ３１では、コントロールユニット１０は、三方弁Ｖ１及び／又は三方弁Ｖ３の各ポートの接続（連通）状態をチェックする。そして、三方弁Ｖ１が排気ガス熱交換器３５をバイパスする側に切換制御されているか否か、及び／又は、三方弁Ｖ３が排気ガス熱交換器３５をバイパスする側に切換制御されているか否かを判断する（ステップＳ３２）。
【００６９】
三方弁Ｖ１及び／又は三方弁Ｖ３が排気ガス熱交換器３５をバイパスする側に切換制御されていれば（ステップＳ３２がＹＥＳ）ブロワ１５の回転数を減少し（ステップＳ３３）、三方弁Ｖ１及び／又は三方弁Ｖ３の接続（連通）状態が排気ガス熱交換器３５側に連通していれば（ステップＳ３２がＮＯ）ブロワ１５の回転数を増加する（ステップＳ３４）。
ステップＳ３３或いはステップＳ３４を実行した後は、ステップＳ３１に戻る。
【００７０】
バーナ２５の燃焼排ガスが排気ガス熱交換器３５で熱媒と熱交換した場合には、燃焼排ガスが排気ガス熱交換器３５をバイパスした場合に比較して、排気ガス熱交換器３５における圧力損失と、排気ガス温度の降下によるドラフト低下とにより、排気ガスが流れ難くなる。
これに対して第４実施形態では、熱媒及び／又は燃焼排ガスが排気ガス熱交換器３５を流れる場合に、ブロワ１５の回転数を増加している。ブロワ１５の回転数を増加することにより排気ガスラインＬｋ内で排気ガスを流れ易くして、熱媒及び／又は燃焼排ガスが排気ガス熱交換器３５を流れる場合においても、排気ガス流量が確保され、空燃比を一定に保つことが可能となる。換言すれば、ブロワ１５の回転数を増加することにより、排気ガスにおける空気流量を維持することが出来るのである。
図７、図８の第４実施形態におけるその他の構成及び作用効果は、図１〜図６の各実施形態と同様である。
【００７１】
次に、図９、図１０を参照して、本発明の第５実施形態を説明する。
図９において、第５実施形態に係る空調システムは、全体を符号１０５で示されている。空調システム１０５は、吸収冷凍機２０の高温再生器２におけるバーナ２５に連通する空気供給ラインＬｎａにダンパ（空燃比調節機構）１７を介装しており、ダンパ１７は、高温再生器２のバーナ２５に供給する燃料と空気との比率を調節している。そして、空調システム１０５では、太陽熱回路３０を循環する熱媒及び／又はバーナ２５の燃焼排ガスが排気ガス熱交換器３５をバイパスしたか否かにより、ダンパ１７の開度（ダンパ開度）を制御している。
【００７２】
図９において、空調システム１０５では、空気供給ラインＬｎａに空燃比調節機構であるダンパ１７を介装しており、制御信号ラインＳｏでダンパ１７とコントロールユニット１０とを接続している。
空調システム１００（図１）とは異なり、図９の空調システム１０５では、温度センサＳｔ１、Ｓｔ２を省略している。
【００７３】
図１０を参照して、第５実施形態における制御を説明する。
図１０のステップＳ４１では、コントロールユニット１０は、三方弁Ｖ１及び／又は三方弁Ｖ３の各ポートの接続（連通）状態をチェックする。そして、三方弁Ｖ１が排気ガス熱交換器３５をバイパスする側に切換制御されているか否か、及び／又は、三方弁Ｖ３が排気ガス熱交換器３５をバイパスする側に切換制御されているか否かを判断する（ステップＳ４２）。
【００７４】
三方弁Ｖ１及び／又は三方弁Ｖ３が排気ガス熱交換器３５をバイパスする側に切換制御されていれば（ステップＳ４２がＹＥＳ）、ダンパ１７の開度を減少させる（ステップＳ４３）。
一方、三方弁Ｖ１及び／又は三方弁Ｖ３が、熱媒及び／又はバーナ２５の燃焼排ガスを排気ガス熱交換器３５に流す側に切換制御されていれば（ステップＳ４２がＮＯ）、ダンパ１７の開度を増加する（ステップＳ４４）。
ステップＳ４３或いはステップＳ４４を実行した後、ステップＳ４１に戻り、再びステップＳ４１以降を繰り返す。
【００７５】
図９、図１０の第５実施形態において、高温再生器２のバーナ２５に供給される空気量を増加し、減少する機構は、ダンパに限定されるものではない。例えば、高温再生器２のバーナ２５に空気を供給するラインの断面積を変化させる構成（可変絞り機構等）や、各種の流量調整機構（流量調整弁等）が、ダンパに代えて設けることが可能である。
【００７６】
第５実施形態によれば、第４実施形態と同様に、排気ガス熱交換器３５における圧力損失と、排気ガス温度の降下によるドラフト低下とにより、排気ガスが流れ難くなった場合に、ダンパ１７の開度を増加して、排気ガスを流れ易くしている。これにより、熱媒及び／又は燃焼排ガスが排気ガス熱交換器３５を流れる場合においても、排気ガス流量が確保され、空燃比を一定に保つことが可能となる。
図９、図１０の第５実施形態におけるその他の構成及び作用効果は、図７、図８の第４実施形態と同様である。
【００７７】
次に、図１１、図１２を参照して、本発明の第６実施形態を説明する。
図１１、図１２の第６実施形態は、図１〜図１０の第１実施形態〜第５実施形態を組み合わせて構成されている。
図１１において、第６実施形態に係る空調システムは、全体が符号１０６で示されている。
【００７８】
次に、主として図１２を参照して、第６実施形態における制御を説明する。
図１２のステップＳ５１において、熱媒温度センサＳｔ１により熱媒温度ＴＳを計測し、排気ガス温度センサＳｔ２により排気ガス温度ＴEを計測し、燃料供給ラインＬｎに介装した開閉弁Ｖｎの開度をチェックする。
【００７９】
次のステップＳ５２では、熱媒温度ＴＳが排気ガス温度ＴE以下であるか否かを判断する。熱媒温度ＴＳが排気ガス温度ＴE以下であれば（ＴＳ≦ＴE：ステップＳ５２がＹＥＳ）、ステップＳ５３に進む。一方、熱媒温度ＴＳが排気ガス温度ＴEよりも高温であれば（ＴＳ＞ＴE：ステップＳ５２がＮＯ）、ステップＳ５７まで進む。
【００８０】
ステップＳ５３（ＴＳ≦ＴE：ステップＳ５２がＹＥＳ）では、燃料供給ラインＬｎの開閉弁Ｖｎが全閉でないか否かを判断する。燃料供給ラインＬｎの開閉弁Ｖｎが全閉でなければ（Ｖｎ≠０：ステップＳ５３がＹＥＳ）、ステップＳ５４に進む。一方、燃料供給ラインＬｎの開閉弁Ｖｎが全閉であれば（Ｖｎ＝０：ステップＳ５３がＮＯ）、ステップＳ５７まで進む。
【００８１】
ステップＳ５４（Ｖｎ≠０：ステップＳ５３がＹＥＳ）では、コントロールユニット１０は、熱媒温度ＴＳがしきい値よりも低温であるか否かを判断する。熱媒温度ＴＳがしきい値よりも低温であれば（ＴＳ＜しきい値：ステップＳ５４がＹＥＳ）、ステップＳ５５に進む。一方、熱媒温度がしきい値以上の高温であれば（ＴＳ≧しきい値：ステップＳ５３がＮＯ）、ステップＳ５７まで進む。
【００８２】
ステップＳ５５（ＴＳ＜しきい値：ステップＳ５４がＹＥＳ）では、三方弁Ｖ１及び／または三方弁Ｖ３を排気ガス熱交換器３５側に連通させる。そして、ステップＳ５６で、ブロワ１５の回転数を上昇し、ダンパ１７の開度を増加する。
【００８３】
一方、ＴＳ＞ＴE（ステップＳ５２がＮＯ）であるか、Ｖｎ≠０（ステップＳ５３がＹＥＳ）であるか、ＴＳ≧しきい値（ステップＳ５３がＮＯ）である場合には、ステップＳ５７において、三方弁Ｖ１及び／または三方弁Ｖ３をバイパス側に連通させる。そして、ステップＳ５８で、ブロワ１５の回転数を減少し、及び／又は、ダンパ１７の開度を減少する。
ステップＳ５６、ステップＳ５８を実行した後、ステップＳ５１に戻り、再びステップＳ５１以降を繰り返す。
【００８４】
明確には図示はされていないが、図１〜図１２の第１実施形態〜第６実施形態は、任意に組み合わせることが可能である。
【００８５】
図１〜図１２の第１実施形態〜第６実施形態では、太陽熱回路３０が吸収冷凍機２０と熱的に連通する態様として、吸収冷凍機２０の希溶液ラインＬａに太陽熱投入熱交換器９を介装して、太陽熱投入熱交換器９で太陽熱回路３０を流れる熱媒体と吸収冷凍機２０を循環する吸収溶液（希溶液）とで熱交換を行なっている。
しかし、太陽熱回路３０が吸収冷凍機２０と熱的に連通する態様としては、太陽熱熱交換器９によるものに限定されない。
【００８６】
例えば、図１３の第７実施形態で示すように、太陽熱再生器ＷＥ９を設け、太陽熱回路３０を流れる熱媒体が保有する熱量により、太陽熱再生器ＷＥ９内の吸収溶液を加熱して、冷媒蒸気（気相冷媒）を再生しても良い。図１３では、太陽熱再生器ＷＥ９は、吸収冷凍機２０において、希溶液ラインＬａの低温溶液熱交換器７と高温溶液熱交換器６との間の領域における分岐点ＷＢから分岐した希溶液ラインＬａｂに連通している。
太陽熱再生器ＷＥ９で再生した気相冷媒は、冷媒ラインＬＷを経由して凝縮器４に流入する。また、太陽熱再生器ＷＥ９で気相冷媒を再生した後の吸収溶液（濃溶液）は、濃溶液ラインＬｃｂを流れ、低温再生器３と低温溶液熱交換器７との間の領域における合流点ＷＧで濃溶液ラインＬｃと合流する。
なお、太陽熱再生器ＷＥ９を介装する位置については、吸収冷凍機２０における溶液サイクル（例えばシリーズフロー、パラレルフロー、リバースフロー）や太陽熱回路３０の熱媒温度等の諸条件により、適宜、設定されるべきであり、図１３で示す位置には限定されない。
図１３の第７実施形態におけるその他の構成及び作用効果については、図１〜図１２の各実施形態と同様である。
【００８７】
また、図１４の第８実施形態で示すように、太陽熱投入熱交換器９と太陽熱再生器ＷＥ９とを設けることも出来る。図１４では、太陽熱投入熱交換器９は、吸収冷凍機２０の希溶液ラインＬａの低温溶液熱交換器７と高温溶液熱交換器６との間の領域に介装されている。そして太陽熱再生器ＷＥ９は希溶液ラインＬａｂに連通しており、希溶液ラインＬａｂは、太陽熱投入熱交換器９と高温溶液熱交換器６との間の領域における分岐点ＷＢで、希溶液ラインＬａから分岐している。そして太陽熱回路３０の熱媒ライン３１における分岐点Ｂ３から分岐しているバイパスライン３３は、太陽熱再生器ＷＥ９を経由して、太陽熱投入熱交換器９を経由してから、三方弁Ｖ２で熱媒ライン３１と合流している。
ここで、太陽熱投入熱交換器９と太陽熱再生器ＷＥ９の位置は、図１４で示す構成に限定されるものではなく、吸収冷凍機２０における溶液サイクル（例えばシリーズフロー、パラレルフロー、リバースフロー）や太陽熱回路３０の熱媒温度等の諸条件により、適宜、設定される。
図１４の第８実施形態におけるその他の構成及び作用効果については、図１〜図１３の各実施形態と同様である。
【００８８】
図示の実施形態はあくまでも例示であり、本発明の技術的範囲を限定する趣旨の記述ではない旨を付記する。
例えば、図１〜図１４の第１実施形態〜第８実施形態を任意に組み合わせた技術も、本発明の技術的範囲に含まれる。
【図面の簡単な説明】
【００８９】
【図１】本発明の第１実施形態のブロック図。
【図２】第１実施形態における制御を示すフローチャート。
【図３】本発明の第２実施形態のブロック図。
【図４】第２実施形態における制御を示すフローチャート。
【図５】本発明の第３実施形態のブロック図。
【図６】第３実施形態における制御を示すフローチャート。
【図７】本発明の第４実施形態のブロック図。
【図８】第４実施形態における制御を示すフローチャート。
【図９】本発明の第５実施形態のブロック図。
【図１０】第５実施形態における制御を示すフローチャート。
【図１１】本発明の第６実施形態のブロック図。
【図１２】第６実施形態における制御を示すフローチャート。
【図１３】本発明の第７実施形態のブロック図。
【図１４】本発明の第８実施形態のブロック図。
【符号の説明】
【００９０】
１・・・吸収器
２・・・高温再生器
３・・・低温再生器
４・・・凝縮器
５・・・蒸発器
６・・・吸収冷凍機側の第１の熱交換器
７・・・吸収冷凍機側の第２の熱交換器
８・・・太陽熱集熱パネル
９・・・第１の熱交換器／太陽熱熱交換器
１０・・・制御手段／コントロールユニット
２０・・・吸収冷凍機
２５・・・バーナ
３０・・・太陽熱回路
３１・・・熱媒ライン
３２・・・第１のバイパスライン／熱媒バイパスライン
３３・・・第３のバイパスライン／太陽熱熱交換器用バイパスライン
３５・・・第２の熱交換器／排ガス熱交換器
１００・・・空調システム
Ｌａ・・・吸収溶液ライン／希溶液ライン
Ｌｂ・・・吸収溶液の第１の戻りライン
Ｌｃ・・・吸収溶液の第２の戻りライン
Ｌｉ・・・冷水ライン
Ｌｋｂ・・・第２のバイパスライン／排ガスバイパスライン
Ｌｗ・・・冷却水ライン
Ｐａ・・・吸収溶液ポンプ
Ｐｗ・・・冷却水ポンプ
Ｓｔ１・・・第１の計測手段／熱媒温度センサ
Ｓｔ２・・・第２の計測手段／排気ガス温度センサ
【図１】
2010007908.tif 000003
【図２】
2010007908.tif 000004
【図３】
2010007908.tif 000005
【図４】
2010007908.tif 000006
【図５】
2010007908.tif 000007
【図６】
2010007908.tif 000008
【図７】
2010007908.tif 000009
【図８】
2010007908.tif 000010
【図９】
2010007908.tif 000011
【図１０】
2010007908.tif 000012
【図１１】
2010007908.tif 000013
【図１２】
2010007908.tif 000014
【図１３】
2010007908.tif 000015
【図１４】
2010007908.tif 000016